(57)【要約】【課題】通話形態に適したハンドオフを自動的に実行することが可能なデジタル無線移動局を提供する。【解決手段】デジタル無線移動局１０は、捕捉されている基地局を介して指令される通話形態を、ＣＰＵ１４で、メモリ１５に格納したプログラムを使って判定して、通話形態に適したハンドオフ方式と該ハンドオフ方式に応じたチャネル切替レベルを、プログラムメモリ１５に格納したプログラムを使って決定する。捕捉されている基地局からの受信電界レベルがチャネル切替レベルより小さく且つ隣接基地局からの受信電界レベルより小さくなったかを、ＣＰＵ１４で、メモリ１５に格納したプログラムを使って判定し、大きくなった場合に、プログラムに従って隣接基地局または捕捉されている基地局に、決定している通話形態に適したハンドオフ方式への切替通知を実行する。【選択図】図１
2008028809.tif 000002
【特許請求の範囲】
【請求項１】
指令台から回線制御装置と複数の基地局を介して移動局に指令をだすデジタル移動無線システムに用いる前記移動局であって、捕捉されている基地局を介して指令される通話形態を判定して、該通話形態に適したハンドオフ方式と該ハンドオフ方式に応じたチャネル切替レベルを決定し、前記捕捉されている基地局からの受信電界レベルが前記チャネル切替レベルより小さく且つ隣接基地局からの受信電界レベルより小さくなった場合、前記隣接基地局または前記捕捉されている基地局に、決定している前記通話形態に適したハンドオフ方式への切替通知を実行することを特徴とするデジタル無線移動局。
【請求項２】
請求項１記載のデジタル無線移動局において、前記チャネル切替レベルは、チャネル切替レベル基準値×チャネル切替レベル定数であり、チャネル切替レベル基準値は一定値で、チャネル切替レベル定数を、再発呼型ハンドオフ方式用として予め定めた再発呼値とするか、基地主導型ハンドオフ方式用として予め定めた基地主導値とすることで、決定している前記通話形態に適したハンドオフ方式に応じて前記チャネル切替レベルを自動的に変化させることを特徴とするデジタル無線移動局。
【発明の詳細な説明】
【技術分野】
【０００１】
本発明は、指令台から回線制御装置と複数の基地局を介して移動局に指令をだすデジタル移動無線システムに関し、特に、捕捉されている基地局と無線接続している移動局が、受信電界の高い基地局に無線接続を切替えるハンドオフ（ハンドオーバとも呼ばれる）に関するものである。
【背景技術】
【０００２】
捕捉されている基地局と無線接続している移動局が、受信電界の高い基地局に無線接続を切替えるハンドオフとしては、移動局が移行希望先の隣接基地局に再発呼要求を上げ、移行希望先の隣接基地局経由で回線制御装置から再発呼要求に対する許可を得てから、移行希望先の隣接基地局と無線接続を行なう再発呼型ハンドオフ方式と、移動局が現在捕捉されている基地局経由で移行希望先の基地局情報を優先順位をつけて回線制御装置に通知し、回線制御装置から同ルートで移行すべき基地局の通信チャネル情報を移動局に通知することにより移行希望先基地局と無線接続を行なう基地主導型ハンドオフ方式がある。
【０００３】
なお、公知の特許文献としては、移動局と複数の基地局と、移動局と基地局との回線接続を制御する回線接続装置を有する無線システムにおいて、移動局で各基地局から伝送される信号の受信電界レベルを測定し、最適基地局（受信電界レベルが最大の基地局）を選択して回線を接続する技術があり、特許文献１に開示されている。
【０００４】
【特許文献１】特開２００１−２５８０５６号公報
【発明の開示】
【発明が解決しようとする課題】
【０００５】
ここで、再発呼型ハンドオフ方式は、再発呼要求を先に行ってから通信チャネルを確保するもので、複数基地局の通信チャネルを通信路として予め設定しておく通話形態（一斉通信）には適しているが、移行希望先の基地局が移動局の動きによって特定できず、移行希望先の基地局の通信チャネルに空きが無い場合は通話断となってしまう通話形態（個別通信）には適さない。
【０００６】
よって、移行希望先の基地局が特定できない通話形態の場合は、予め候補となる基地局を回線制御装置に提示し、通信チャネルの空き具合によって移行希望先の基地局を指定する基地主導型ハンドオフ方式が適している。
【０００７】
しかし、従来のデジタル無線システムに於いては、複数の通信中の通信チャネル切替方式を有し、通話形態によって適している方を使い分けることは困難とされ、個々の通話形態に適した移動局を準備することを余儀なくされていた。
【０００８】
それは、再発呼型ハンドオフ方式が、これから受信電界レベルの強くなるであろう移行先の基地局に対して通信チャネルの移行を通知するものに対して、基地主導型ハンドオフは、これから受信電界レベルが弱くなるであろう移行元（現在捕捉している基地局）に対して通信チャネルの移行を通知するため、ハンドオフのきっかけとなる移行元基地局の受信電界レベルの設定値が同一では、どちらかにあわせざるを得ず、ハンドオフタイミングが早すぎたり、逆に遅くハンドオフする前に通話が切れたりする弊害が発生する。しかも、ハンドオフ先基地局の受信電界レベル測定をハンドオフ方式ごとに持たせることは処理の煩雑さを招く。
【０００９】
本発明の目的は、通話形態に適したハンドオフを自動的に実行することが可能なデジタル無線移動局を提供することにある。
【課題を解決するための手段】
【００１０】
第１の本発明は、指令台から回線制御装置と複数の基地局を介して移動局に指令をだすデジタル移動無線システムに用いる前記移動局であって、捕捉されている基地局を介して指令される通話形態を判定して、該通話形態に適したハンドオフ方式と該ハンドオフ方式に応じたチャネル切替レベルを決定し、前記捕捉されている基地局からの受信電界レベルが前記チャネル切替レベルより小さく且つ隣接基地局からの受信電界レベルより小さくなった場合、前記隣接基地局または前記捕捉されている基地局に、決定している前記通話形態に適したハンドオフ方式への切替通知を実行することを特徴とするデジタル無線移動局である。なお、前記隣接基地局からの受信電界レベルは、所定の許可レベル（例えば、前記チャネル切替レベル）より大きくなっていることを条件に、当該隣接基地局からの受信電界レベルより大きいか小さいかを判断するものである。
【００１１】
第２の本発明は、第１の本発明において、前記チャネル切替レベルは、チャネル切替レベル基準値×チャネル切替レベル定数であり、チャネル切替レベル基準値は一定値で、チャネル切替レベル定数を、再発呼型ハンドオフ方式用として予め定めた再発呼値とするか、基地主導型ハンドオフ方式用として予め定めた基地主導値とすることで、決定している前記通話形態に適したハンドオフ方式に応じて前記チャネル切替レベルを自動的に変化させることを特徴とするデジタル無線移動局である。
【発明の効果】
【００１２】
本発明によれば、通話形態に適したハンドオフを自動的に実行することが可能なデジタル無線移動局を得ることができる。したがって、通話継続がスムースに行え、扱い者がハンドオフによる通話断を特段意識する必要がなくなる。
【発明を実施するための最良の形態】
【００１３】
本発明に係る実施の形態について説明する。
【００１４】
図１は、本発明によるデジタル無線移動局の実施形態の機能ブロックである。デジタル無線移動局１０は、ＲＦ（送受信部）１１とＦＰＧＡ（デバイス間Ｉ／Ｆ）１２とＤＳＰ（信号処理）１３とＣＰＵ（プログラム実行・無線制御処理）１４とメモリ（プログラム格納）１５から構成される。メモリ１５は、通話形態判定プログラム、チャネル切替レベル定数判定プログラム、再発呼型ハンドオフ方式プログラム、基地主導型ハンドオフ方式プログラムを備えている。
【００１５】
ＣＰＵ１４はメモリ１５に格納された各プログラムを実行し移動局全体を制御する。
ＣＰＵ１４はＤＰＳ１３に送信命令と送信データを渡し、ＤＰＳ１３が信号処理したデータをＲＦ１１から実際に電波として送信する。
ＣＰＵ１４はＤＰＳ１３に受信命令を行い、信号処理されたＲＦ１１からの受信データを受け取る。
ＣＰＵ１４はＤＰＳ１３と送受信データをやり取りすることで無線制御を実現する。
【００１６】
本実施形態では、ＣＰＵ１４で、ＤＳＰ１３で信号処理されたＲＦ（送受信部）１１からの受信データの通話形態（一斉通信、個別通信）を、メモリ１５に格納している通信形態判定プログラムを使って判定する。
【００１７】
図２は、図１のメモリ１５に格納している通話形態判定プログラムである。通話形態判定２００は、まず通話中であるかを判定する（２０１）。通話中で無いすなわち受信データが無いＮＯの場合は、再発呼型ハンドオフ方式を選択する（２０２）。
【００１８】
通話中すなわち受信データが有るＹＥＳの場合は、次に、通話形態が個別通信かを、受信データ中の呼出種別データをみて判別する（２０３）。個別通信で無いすなわちＮＯの一斉呼出の場合は再発呼型ハンドオフ方式を選択し（２０４）、個別通信で有るすなわちＹＥＳの場合は基地主導型ハンドオフ方式を選択する（２０５）。
【００１９】
ＣＰＵ１４は、選択したハンドオフ方式を、メモリ１５内の別の領域に格納する。
【００２０】
また、本実施形態では、ＣＰＵ１４で、ＤＳＰ１３で信号処理されたＲＦ（送受信部）１１からの受信データから、通話形態に適したチャネル切替レベルを決定するために必要な定数を、メモリ１５に格納したチャネル切替レベル定数判定プログラムを使って選択する。
【００２１】
図３は、図１のメモリ１５に格納しているチャネル切替レベル定数判定プログラムである。チャネル切替レベル定数判定３００は、まず通話中であるかを判別する（３０１）。通話中で無いすなわち受信データが無いＮＯの場合は、再発呼型ハンドオフ方式用として予め定めた再発呼値例えば０．９２を、定数として選択する（３０２）。
【００２２】
通話中すなわち受信データが有るＹＥＳの場合は、次に、通話形態が個別通信かを、受信データ中の呼出種別データをみて判別する（３０３）。個別通信で無いすなわちＮＯの一斉呼出の場合は再発呼型用ハンドオフ方式として予め定めた再発呼値を定数として選択し（３０４）、個別通信で有るすなわちＹＥＳの場合は、基地主導型ハンドオフ方式用として予め定めた基地主導値例えば１．０４を、定数として選択する（３０５）。
【００２３】
ＣＰＵ１４は、選択したチャネル切替レベル定数を、メモリ１５内の別の領域に格納する。
【００２４】
本実施形態では、ＣＰＵ１４で判定してメモリ１５内の別の領域に格納している，選択されたハンドオフ方式およびチャネル切替レベル定数を使って、通話中の捕捉されている基地局からの受信電界レベルが、チャネル切替レベル（チャネル切替レベル基準値×チャネル切替レベル定数）より小さく且つ隣接基地局からの受信電界レベルがチャネル切替レベルより大きくなった場合に、隣接基地局または捕捉されている基地局に、通話形態に適したハンドオフ方式に切替る通知を実行する。
【００２５】
ここで、チャネル切替レベルは、チャネル切替レベル基準値×チャネル切替レベル定数であり、チャネル切替レベル基準値は、ハンドオフ方式（再発呼型ハンドオフ方式、基地主導型ハンドオフ方式）の違いによらず一定値で、チャネル切替レベル定数を、再発呼型ハンドオフ方式用として予め定めた再発呼値とするか、基地主導型ハンドオフ方式用として予め定めた基地主導値とすることで、チャネル切替レベルを決定し、且つ選定したハンドオフ方式に応じてチャネル切替レベルを自動的に変化させる。
【００２６】
例として、チャネル切替レベル基準値は１００ｄＢ、チャネル切替レベル定数は、再発呼型ハンドオフ方式用として予め定めた再発呼値が０．９２、基地主導型ハンドオフ方式用として予め定めた基地主導値が１．０４である。
【００２７】
図４は、図１のメモリ１５に格納している再発呼型ハンドオフ方式プログラムであり、図２，図３で判定した通話形態が個別通信でないすなわち一斉通信の場合に使用するプログラムである。
【００２８】
図１のデジタル無線移動局１０は、ＲＦ１１で、捕捉されている基地局および隣接基地局からの受信電界レベルを交互に測定する（４０１，４０２）。
【００２９】
そして、捕捉されている基地局からの受信電界レベルが、チャネル切替レベル（チャネル切替レベル基準値×チャネル切替レベル定数）より小さくなったかを判定する（４０３）。ここで、チャネル切替レベル定数は再発呼型ハンドオフ方式用として予め定めた再発呼値が選定され、したがって、チャネル切替レベルは再発呼型ハンドオフ方式に応じたレベルとなっている。
【００３０】
また、隣接基地局からの受信電界レベルが、予め定めた許可レベルより大きいかを確認する（４０４）。
【００３１】
そして、捕捉されている基地局からの受信電界レベルが、チャネル切替レベルより小さくなり且つ隣接基地局からの受信電界レベルが、予め定めた許可レベルより大きい場合に、捕捉されている基地局からの受信電界レベルが、隣接基地局からの受信電界レベルより小さくなったかを判定する（４０５）。
【００３２】
捕捉されている基地局からの受信電界レベルが、隣接基地局からの受信電界レベルより小さくなった場合に、再発呼型ハンドオフ方式に応じたハンドオフ起動を実行する。すなわち、隣接基地局へ再発呼要求を送信する（４０６）。再発呼要求の送信に対して、隣接基地局より、再発呼受付を受信し（４０７）、次いで、通信チャネル指定を受信する（４０８）。そして、隣接基地局と通信チャネルの同期をとり通信に移行する（４０９）。その後、基地局移行禁止（ロック）を開始する（４１０）。
【００３３】
図５は、図１のメモリ１５に格納している基地主導型ハンドオフ方式プログラムであり、図２，図３で判定した通話形態が個別通信の場合に使用するプログラムである。
【００３４】
５０１から５０５は図４における４０１から４０５と同じである。ただし、５０３におけるチャネル切替レベル定数は基地主導型ハンドオフ方式用として予め定めた基地主導値が選定され、したがって、チャネル切替レベルは基地主導型ハンドオフ方式に応じたレベルとなっている。
【００３５】
捕捉されている基地局からの受信電界レベルが、隣接基地局からの受信電界レベルより小さくなったかを判定し（５０５）し、小さくなった場合に、基地主導型ハンドオフ方式に応じたハンドオフ起動を実行する。すなわち、捕捉されている基地局へ無線局情報を送信する（５０６）。無線局情報の送信に対して、捕捉されている基地局より、通信チャネル指定を受信する（５０７）。このことで、隣接基地局と通信チャネルの同期をとり通信に移行する（５０８）。その後、基地局移行禁止（ロック）を開始する（５０９）。
【００３６】
図６は、本発明によるデジタル無線移動局を含むデジタル無線システムにおけるシーケンスであり、通話形態が一斉通信で、一斉呼出の例を示す。
【００３７】
指令台２０より回線接続装置３０へ一斉呼出を送信する（６０１）。すると回線接続装置３０は捕捉基地局４０へ一斉呼出を送信する（６０２）。捕捉基地局４０はデジタル無線移動局１０へ一斉呼出接続を送信する（６０３）。
【００３８】
デジタル無線移動局１０は、図２に示す通話形態判定を行い（６０４）、ハンドオフ方式として再発呼型ハンドオフ方式を選択する（６０５）。また、図３に示すチャネル切替レベル定数判定を行い（６０６）、定数として、再発呼型ハンドオフ方式用として予め定めた再発呼値を選択する（６０７）。そして選択したハンドオフ方式（再発呼型）と定数（再発呼値）を格納する。
【００３９】
次に、デジタル無線移動局１０は、図４に示す再発呼型ハンドオフ方式プログラムを実行する。ここで、チャネル切替レベルは再発呼型ハンドオフ方式に応じたレベルとなっている。
【００４０】
デジタル無線移動局１０は、捕捉されている基地局からの受信電界レベルが、チャネル切替レベルより小さくなり且つ隣接基地局からの受信電界レベルが、予め定めた許可レベルより大きい場合に、捕捉されている基地局からの受信電界レベルが、隣接基地局からの受信電界レベルより小さくなったかを判定し、小さくなった場合に、再発呼型ハンドオフ方式に応じたハンドオフ起動を実行する（６０８）。
【００４１】
すなわち、デジタル無線移動局１０は隣接基地局５０へ再発呼要求を送信する（６０９）。隣接基地局５０は回線接続装置３０へ再発呼要求を送信する（６１０）。回線接続装置３０は隣接基地局５０へ再発呼要求を送信する（６１１）。隣接基地局５０はデジタル無線移動局１０へ再発呼受付を送信し（６１２）、次いで、通信チャネル指定を送信する（６１３）。そして、隣接基地局５０とデジタル無線移動局１０間の通信チャネルの同期をとり通信に移行する（６１４）。
【００４２】
図７は、本発明によるデジタル無線移動局を含むデジタル無線システムにおけるシーケンスであり、通話形態が個別通信で、個別呼出の例を示す。
【００４３】
指令台２０より回線接続装置３０へ個別呼出を送信する（７０１）。すると回線接続装置３０は捕捉基地局４０へ個別呼出を送信する（７０２）。捕捉基地局４０はデジタル無線移動局１０へ個別呼出接続を行う（７０３）。
【００４４】
デジタル無線移動局１０は、図２に示す通話形態判定を行い（７０４）、ハンドオフ方式として基地主導型ハンドオフ方式を選択する（７０５）。また、図３に示すチャネル切替レベル定数判定を行い（７０６）、定数として、基地主導型ハンドオフ方式用として予め定めた基地主導値を選択する（７０７）。そして選択したハンドオフ方式（再発呼型）と定数（再発呼値）を格納する。
【００４５】
次に、デジタル無線移動局１０は、図５に示す基地主導型ハンドオフ方式プログラムを実行する。ここで、チャネル切替レベルは基地主導型ハンドオフ方式に応じたレベルとなっている。
【００４６】
デジタル無線移動局１０は、捕捉されている基地局からの受信電界レベルが、チャネル切替レベルより小さくなり且つ隣接基地局からの受信電界レベルが、予め定めた許可レベルより大きい場合に、捕捉されている基地局からの受信電界レベルが、隣接基地局からの受信電界レベルより小さくなったかを判定し、小さくなった場合に、基地主導型ハンドオフ方式に応じたハンドオフ起動を実行する（７０８）。
【００４７】
すなわち、デジタル無線移動局１０は捕捉基地局４０へ基地局情報を送信する（７０９）。捕捉基地局４０は回線接続装置３０へ基地局情報を送信する（７１０）。回線接続装置３０は捕捉基地局４０へ基地局・通信チャネル通知を送信する（７１１）。捕捉基地局４０はデジタル無線移動局１０へ通信チャネル指定を送信する（７１２）。そして、捕捉基地局４０とデジタル無線移動局１０間の通信チャネルの同期をとり通信に移行する（７１３）。
【００４８】
本発明の実施の形態によれば、通話形態に適したハンドオフを自動的に実行することが可能なデジタル無線移動局を得ることができる。したがって、通話継続がスムースに行え、扱い者がハンドオフによる通話断を特段意識する必要がなくなる。
【００４９】
また、チャネル切替レベルを、チャネル切替レベル基準値×チャネル切替レベル定数とし、チャネル切替レベル定数として、ハンドオフ方式に応じて予め定めた値を選択するだけで、チャネル切替レベルを決定し、且つ選定したハンドオフ方式に応じてチャネル切替レベルを自動的に変化させるので、実用的であり便利である。
【図面の簡単な説明】
【００５０】
【図１】本発明によるデジタル無線移動局の実施形態の機能ブロックである。
【図２】図１のメモリに格納している通話形態判定プログラムである。
【図３】図１のメモリに格納しているチャネル切替レベル定数判定プログラムである。
【図４】図１のメモリに格納している再発呼型ハンドオフ方式プログラムである。
【図５】図１のメモリに格納している基地主導型ハンドオフ方式プログラムである。
【図６】本発明によるデジタル無線移動局を含むデジタル無線システムにおけるシーケンスであり、通話形態が一斉通信で、一斉呼出の例を示す。
【図７】本発明によるデジタル無線移動局を含むデジタル無線システムにおけるシーケンスであり、通話形態が個別通信で、個別呼出の例を示す。
【符号の説明】
【００５１】
１０：デジタル無線移動局、１１：ＲＦ（送受信部）、１２：ＦＰＧＡ（デバイス間Ｉ／Ｆ）、１３：ＤＳＰ（信号処理）、１４：ＣＰＵ（プログラム実行・無線制御処理）、１５：メモリ、２０：指令台、３０：回線接続装置、４０：捕捉基地局、５０：隣接基地局。
【図１】
2008028809.tif 000003
【図２】
2008028809.tif 000004
【図３】
2008028809.tif 000005
【図４】
2008028809.tif 000006
【図５】
2008028809.tif 000007
【図６】
2008028809.tif 000008
【図７】
2008028809.tif 000009